【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
移動動作を行っている対象者を撮影した動画データであって、当該対象者の位置に係る情報を含む動画データに対して、当該動画データ上の第１の位置と前記対象者の位置とが重なる第１タイミングと、当該動画データ上の第２の位置と前記対象者の位置とが重なる第２タイミングを特定するタイミング特定手段と、
前記タイミング特定手段で特定された前記第１タイミングと前記第２タイミングとから、前記第１の位置から前記第２の位置までの距離を前記対象者が移動するのにかかった第１の所要時間を特定する時間特定手段と、
前記距離と前記時間特定手段で特定される前記第１の所要時間とに基づいて、前記対象者の移動速度を特定する移動速度特定手段と
を有し、
前記時間特定手段は、前記タイミング特定手段で前記第１タイミングを特定できなかった場合であっても、前記第１の位置と前記第２の位置との間で前記対象者の位置が特定できた場合には、当該対象者の位置が特定できたタイミングと、前記第２タイミングとから第２の所要時間を特定し、
前記移動速度特定手段は、前記第２の所要時間と、当該対象者の位置が特定できた第３の位置から前記第２の位置までの距離とに基づいて、移動速度を特定することを特徴とする情報処理装置。
【請求項２】
前記移動速度特定手段で特定された移動速度に基づいて、前記対象者の移動動作に関する評価値を算出することを特徴とする請求項１に記載の情報処理装置。
【請求項３】
特定の距離を移動するのに要する時間の基準となる基準時間を記憶する記憶手段を更に備え、
前記移動速度特定手段で特定した前記移動速度と前記特定の距離とに基づいて移動時間を算出し、さらに、当該移動時間と前記記憶手段で記憶する前記基準時間とを比較することで前記評価値を算出することを特徴とする請求項２に記載の情報処理装置。
【請求項４】
前記時間特定手段は、前記タイミング特定手段で前記第１タイミングを特定できずに、前記第１の位置と前記第２の位置との間ではない位置で前記対象者の位置が特定できた場合には、所要時間の特定を行わないことを特徴とする請求項１乃至３のいずれか1項に記載の情報処理装置。
【請求項５】
前記動画データを表示するように制御する表示制御手段を備え、
前記表示制御手段は、前記第１の位置と前記第２の位置をユーザが識別可能となるようにして、前記動画データを表示するように制御することを特徴とする請求項１乃至４のいずれか1項に記載の情報処理装置。
【請求項６】
前記動画データ上に予め設定された２つの位置のうち、前記対象者の位置と先に重なった位置を前記第１の位置とし、前記対象者の位置と後に重なった位置を前記第２の位置とすることを特徴とする請求項１乃至５のいずれか1項に記載の情報処理装置。
【請求項７】
移動動作を行っている対象者を撮影した動画データであって、当該対象者の位置に係る情報を含む動画データに対して、当該動画データ上の第１の位置と前記対象者の位置とが重なる第１タイミングと、当該動画データ上の第２の位置と前記対象者の位置とが重なる第２タイミングを特定するタイミング特定工程と、
前記タイミング特定工程で特定された前記第１タイミングと前記第２タイミングとから、前記第１の位置から前記第２の位置までの距離を前記対象者が移動するのにかかった第１の所要時間を特定する時間特定工程と、
前記距離と前記時間特定工程で特定される前記第１の所要時間とに基づいて、前記対象者の移動速度を特定する移動速度特定工程と
を有し、
前記時間特定工程は、前記タイミング特定工程で前記第１タイミングを特定できなかった場合であっても、前記第１の位置と前記第２の位置との間で前記対象者の位置が特定できた場合には、当該対象者の位置が特定できたタイミングと、前記第２タイミングとから第２の所要時間を特定し、
前記移動速度特定工程は、前記第２の所要時間と、当該対象者の位置が特定できた第３の位置から前記第２の位置までの距離とに基づいて、移動速度を特定することを特徴とする情報処理装置の制御方法。
【請求項８】
コンピュータを、請求項１乃至６のいずれか1項に記載の情報処理装置の各手段として機能させることを特徴とするプログラム。
【手続補正２】
【補正対象書類名】明細書
【補正対象項目名】発明の名称
【補正方法】変更
【補正の内容】
【発明の名称】情報処理装置、情報処理装置の制御方法、プログラム
【手続補正３】
【補正対象書類名】明細書
【補正対象項目名】０００１
【補正方法】変更
【補正の内容】
【０００１】
本発明は、情報処理装置、情報処理装置の制御方法、プログラムに関し、特に所定のタイミングで対象者の位置を特定できない場合であっても、対象者の移動速度を特定可能な仕組みに関する。
【手続補正４】
【補正対象書類名】明細書
【補正対象項目名】０００９
【補正方法】変更
【補正の内容】
【０００９】
本発明は、所定のタイミングで対象者の位置を特定できない場合であっても、対象者の移動速度を特定可能な仕組みを提供することを目的とする。
【手続補正５】
【補正対象書類名】明細書
【補正対象項目名】００１０
【補正方法】変更
【補正の内容】
【００１０】
本発明は、移動動作を行っている対象者を撮影した動画データであって、当該対象者の位置に係る情報を含む動画データに対して、当該動画データ上の第１の位置と前記対象者の位置とが重なる第１タイミングと、当該動画データ上の第２の位置と前記対象者の位置とが重なる第２タイミングを特定するタイミング特定手段と、前記タイミング特定手段で特定された前記第１タイミングと前記第２タイミングとから、前記第１の位置から前記第２の位置までの距離を前記対象者が移動するのにかかった第１の所要時間を特定する時間特定手段と、前記距離と前記時間特定手段で特定される前記第１の所要時間とに基づいて、前記対象者の移動速度を特定する移動速度特定手段とを有し、前記時間特定手段は、前記タイミング特定手段で前記第１タイミングを特定できなかった場合であっても、前記第１の位置と前記第２の位置との間で前記対象者の位置が特定できた場合には、当該対象者の位置が特定できたタイミングと、前記第２タイミングとから第２の所要時間を特定し、前記移動速度特定手段は、前記第２の所要時間と、当該対象者の位置が特定できた第３の位置から前記第２の位置までの距離とに基づいて、移動速度を特定することを特徴とする。
【手続補正６】
【補正対象書類名】明細書
【補正対象項目名】００１１
【補正方法】変更
【補正の内容】
【００１１】
また、本発明は、移動動作を行っている対象者を撮影した動画データであって、当該対象者の位置に係る情報を含む動画データに対して、当該動画データ上の第１の位置と前記対象者の位置とが重なる第１タイミングと、当該動画データ上の第２の位置と前記対象者の位置とが重なる第２タイミングを特定するタイミング特定工程と、前記タイミング特定工程で特定された前記第１タイミングと前記第２タイミングとから、前記第１の位置から前記第２の位置までの距離を前記対象者が移動するのにかかった第１の所要時間を特定する時間特定工程と、前記距離と前記時間特定工程で特定される前記第１の所要時間とに基づいて、前記対象者の移動速度を特定する移動速度特定工程とを有し、前記時間特定工程は、前記タイミング特定工程で前記第１タイミングを特定できなかった場合であっても、前記第１の位置と前記第２の位置との間で前記対象者の位置が特定できた場合には、当該対象者の位置が特定できたタイミングと、前記第２タイミングとから第２の所要時間を特定し、前記移動速度特定工程は、前記第２の所要時間と、当該対象者の位置が特定できた第３の位置から前記第２の位置までの距離とに基づいて、移動速度を特定することを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
本発明によれば、所定のタイミングで対象者の位置を特定できない場合であっても、対象者の移動速度を特定することが可能となる。